(57)【特許請求の範囲】
【請求項１】
単一指向性コンデンサマイクロホンと、
２つの双指向性リボンマイクロホンと、を備え、
前記単一指向性コンデンサマイクロホンの収音軸の１８０°方向視において、前記２つの双指向性リボンマイクロホンは、前記単一指向性コンデンサマイクロホンを挟持するように前記単一指向性コンデンサマイクロホンの左右に対称に直列に配置され、
前記単一指向性コンデンサマイクロホンの収音軸の１８０°方向視において、前記単一指向性コンデンサマイクロホンは、前記２つの双指向性リボンマイクロホンの長手方向の中央に配置され、
前記２つの双指向性リボンマイクロホンそれぞれの収音軸の１８０°方向に、前記単一指向性コンデンサマイクロホンの収音軸の０°方向が一致するように配置され、
前記双指向性リボンマイクロホンの１８０°方向の出力レベルが前記単一指向性コンデンサマイクロホンの出力レベルにより減殺されることを特徴とする単一指向性マイクロホン。
【発明の詳細な説明】
【技術分野】
【０００１】
本発明は、単一指向性マイクロホンに関し、音質劣化が少ない状態で単一指向性を実現することのできる単一指向性マイクロホンに関する。
【背景技術】
【０００２】
双指向性リボンマイクロホンは音質が良好であるとされ、質量制御であることから低域共振周波数以上の周波数帯域では良好な指向周波数応答が得られる。
しかしながら、単一指向性或いは無指向性を実現するためには長い制動用音響管を用いる必要がある。また、制動用音響管の長さは有限であることから良好な指向周波数応答を得ることが困難である。
【０００３】
一方、単一指向性コンデンサマイクロホンは、小型であっても良好な指向周波数応答を実現することができる。
そのため、良好な双指向性リボンマイクロホンの音質で単一指向性が実現できることが望まれる。また、単一指向性にすることによって、拡声時にハウリングの発生を抑制することができる。
【０００４】
従来、双指向性リボンマイクロホンエレメントと無指向性コンデンサマイクロホンエレメントの出力レベルを加算すると、単一指向性になることが知られている。
即ち、図６（ａ）の指向周波数特性グラフに示す双指向性リボンマイクロホンエレメントの出力レベルと、図６（ｂ）の指向周波数特性グラフに示す無指向性コンデンサマイクロホンエレメントの出力レベルとを加算すると、図６（ｃ）に示すように０°方向の出力レベルが大きくなった単一指向性の特性が得られる。
【０００５】
特許文献１において、本願出願人は、１つの無指向性コンデンサマイクロホンユニットと、２つの双指向性リボンマイクロホンユニットとを有するステレオマイクロホンを開示している。このステレオマイクロホンにおいては、２つの双指向性リボンマイクロホンユニットの指向軸が、ステレオマイクロホンの指向軸の中心軸に対して、同一平面内において所定の角度を形成するように配置され、前記無指向性マイクロホンユニットは、音響端子が双指向性マイクロホンユニットの音響端子と近接して配置されている。
このステレオマイクロホンによれば、指向周波数特性に優れるステレオマイクロホンを得ることができる。
【先行技術文献】
【特許文献】
【０００６】
【特許文献１】特開２０１５−１１１８１２号公報
【発明の概要】
【発明が解決しようとする課題】
【０００７】
しかしながら、双指向性リボンマイクロホンエレメントと無指向性コンデンサマイクロホンエレメントの出力レベルとを加算し、単一指向性を得る構成とする場合、図６（ｃ）に示す出力レベルの半分は、無指向性コンデンサマイクロホンの音声であるため、加算することによって音質が劣化するという課題があった。
【０００８】
本発明は、前記した点に着目してなされたものであり、リボンマイクロホンの音質劣化を抑えつつ単一指向性を実現することができる高音質の単一指向性マイクロホンを提供することを目的とする。
【課題を解決するための手段】
【０００９】
前記した課題を解決するために、本発明に係る単一指向性マイクロホンは、単一指向性コンデンサマイクロホンと、双指向性リボンマイクロホンとを備え、前記双指向性リボンマイクロホンの収音軸の１８０°方向に、前記単一指向性コンデンサマイクロホンの収音軸の０°方向が一致するように配置され、前記双指向性リボンマイクロホンの１８０°方向の出力レベルが前記単一指向性コンデンサマイクロホンの出力レベルにより減殺されることに特徴を有する。
尚、２つの前記双指向性リボンマイクロホンを備え、前記２つの双指向性リボンマイクロホンは、１つの前記コンデンサマイクロホンの左右に対称配置されていることが望ましい。
【００１０】
このように構成することにより、双指向性リボンマイクロホンの収音軸の１８０°方向のレベルが単一指向性コンデンサマイクロホンの出力レベルにより減殺されるため、リボンマイクロホンの音質を損ねることなく、単一指向性を実現することができる。また、この単一指向性マイクロホンを拡声に使用する場合には、ハウリングを防止することができる。
【発明の効果】
【００１１】
リボンマイクロホンの音質劣化を抑えつつ単一指向性を実現することができる高音質の単一指向性マイクロホンを得ることができる。
【図面の簡単な説明】
【００１２】
【図１】図１は、本発明に係る単一指向性マイクロホンの正面図（収音軸１８０°側から見た図）である。
【図２】図２は、図１の単一指向性マイクロホンの平面図である。
【図３】図３は、図１の単一指向性マイクロホンの側面図である。
【図４】図４は、図１の単一指向性マイクロホン１の回路図である。
【図５】図５（ａ）〜（ｃ）は、図１の単一指向性マイクロホンを構成する各マイクロホンエレメントの指向周波数特性グラフである。
【図６】図６（ａ）〜（ｃ）は、従来の単一指向性マイクロホンを構成する双指向性リボンマイクロホンエレメントと無指向性コンデンサマイクロホンエレメントの指向周波数特性グラフである。
【発明を実施するための形態】
【００１３】
以下、本発明の実施の形態を図面に基づき説明する。図１は、本発明に係る単一指向性マイクロホンの正面図（収音軸１８０°側から見た図）であり、図２は平面図、図３は側面図である。また、図４は、この単一指向性マイクロホン１の回路図である。
【００１４】
図示するように、この単一指向性マイクロホン１は、１つの単一指向性コンデンサマイク２と、これを狭持するように左右対称に直列接続されて配置された２つの双指向性リボンマイクロホン３、４とにより構成される（図４ではリボンマイクロホンを１つのみ示す）。
具体的には、前記双指向性リボンマイクロホン３，４の収音軸の１８０°方向に単一指向性コンデンサマイクロホン２の収音軸の０°が一致するように配置し、双指向性リボンマイクロホン３，４の出力レベルから単一指向性コンデンサマイクロホン２の出力レベルを減算するようになされる。
【００１５】
図５（ａ）〜（ｃ）は、各マイクロホンの指向周波数特性グラフを示す。図５（ａ）は双指向性リボンマイクロホン３，４の指向周波数特性を示し、図５（ｂ）は単一指向性コンデンサマイクロホン２の指向周波数特性を示し、図５（ｃ）は単一指向性マイクロホン１の指向周波数特性を示す。
【００１６】
図５（ａ）に示す双指向性リボンマイクロホン３，４の収音軸の０°方向には、図５（ｂ）に示すように単一指向性コンデンサマイクロホン２は応答を持たない。そのため、単一指向性マイクロホン１の出力においては、図５（ｃ）に示すように、双指向性リボンマイクロホン３，４の収音軸の１８０°方向のレベルが減殺され単一指向性となる。
即ち、前記双指向性リボンマイクロホン３，４の収音軸の０°方向からの音波に対しては、双指向性リボンマイクロホン３，４のみが感度を持つことになる。
【００１７】
図４の回路図で言えば、単一指向性コンデンサマイクロホン２の出力（ＰＩＮ３）と双指向性リボンマイクロホン３，４の出力（ＰＩＮ２）とが平衡出力されて、ミキサ（図示せず）に差動入力され、前記ミキサから減算出力が得られることになる。双指向性リボンマイクロホン３，４の出力は、トランスＴによりステップアップされてＰＩＮ２に出力される。なお、ＰＩＮ１は接地電位（ＧＮＤ）であり、単一指向性コンデンサマイクロホン２の一端とトランスＴの一端が接続される。
【００１８】
以上のように本実施の形態によれば、双指向性リボンマイクロホン３，４の収音軸の１８０°方向のレベルが単一指向性コンデンサマイクロホン２の出力レベルにより減殺される構成であるため、リボンマイクロホンの音質を損ねることなく、単一指向性を実現することができる。また、この単一指向性マイクロホンを拡声に使用する場合には、ハウリングを防止することができる。
【００１９】
尚、前記実施の形態においては、２つの双指向性リボンマイクロホン３，４を１つのコンデンサマイクロホン２に対し対称配置した構成としたが、本発明にあっては、その構成に限定されるものではなく、１つの双指向性リボンマイクロホンを用いた構成としてもよい。
また、本発明に係る単一指向性マイクロホン１は、その使用形態が限定されるものではなく、ハンドマイクやスタンドマイクなどにも好適に用いることができる。
【符号の説明】
【００２０】
１            単一指向性マイクロホン
２            単一指向性コンデンサマイクロホン
３            双指向性リボンマイクロホン
４            双指向性リボンマイクロホン
【図１】
0006622594.tif 000002
【図２】
0006622594.tif 000003
【図３】
0006622594.tif 000004
【図４】
0006622594.tif 000005
【図５】
0006622594.tif 000006
【図６】
0006622594.tif 000007